(57)【要約】【課題】プロジェクターが投射する光のホワイトバランスを適切に調整できるプロジェクター、及び、プロジェクターにおける発光制御方法を提供する。【解決手段】プロジェクター１は、複数のレーザー光源４２，４３と、複数のレーザー光源４２，４３が発する光を変調して投射する投射部２０と、投射部２０から投射される変調光２８の投射状態を光学的に変化させる投射光学系２３と、投射光学系２３の状態を変化させる投射光学系駆動部３４と、投射光学系２３の状態と、変調光２８のホワイトバランスを整えるための各々のレーザー光源４２，４３の発光量の調整値と、を関連付けて記憶する記憶部１５と、投射光学系２３の状態に対応した調整値に基づいて各々のレーザー光源４２，４３の発光量を調整するＰＷＭ信号生成部５０と、を備える。【選択図】図１
2014021227.tif 000002
【特許請求の範囲】
【請求項１】
複数の光源と、
前記複数の光源が発する光を変調する変調手段と、を備え、
前記変調手段で変調された変調光を投射する投射部と、
前記投射部から投射される変調光の投射状態を光学的に変化させる光学系と、
前記光学系の状態を変化させる光学系調整手段と、
前記光学系の状態と、前記変調光のホワイトバランスを整えるための各々の前記光源の発光量の調整値とを関連付けて記憶する記憶手段と、
前記光学系の状態に対応した前記調整値に基づいて各々の前記光源の発光量を調整する発光量調整手段と
を備えることを特徴とするプロジェクター。
【請求項２】
請求項１記載のプロジェクターであって、
前記記憶手段は、前記光学系の特定の状態と、前記調整値とを関連付けて記憶し、
前記光学系調整手段により前記光学系が前記特定の状態とされた場合に、前記記憶手段に記憶された前記調整値に基づいて前記発光量調整手段により前記光源の発光量を調整し、前記光学系調整手段により前記光学系が前記特定の状態以外の状態とされた場合には、前記記憶手段に記憶された調整値から算出される推定値に基づいて前記発光量調整手段により前記光源の発光量を調整する制御手段をさらに備えることを特徴とするプロジェクター。
【請求項３】
請求項２に記載のプロジェクターであって、
前記光学系が特定の状態となった場合において前記変調光のホワイトバランスを整える調整値を取得し、前記光学系の状態と前記調整値とを関連付けて前記記憶手段に記憶する調整値取得手段をさらに備えることを特徴とするプロジェクター。
【請求項４】
請求項２または３に記載のプロジェクターであって、
いずれかの前記光源の光から色変換及び／又は分光により複数の色光を生成する色光変換手段と、
前記色光変換手段により生成された複数の色光を変調する変調手段と、をさらに備え、
前記制御手段は、前記光学系の状態に基づいて、前記記憶手段に記憶された前記調整値または前記記憶手段に記憶された前記調整値から算出される推定値から、各々の前記色光の光量の調整量を求め、さらに各々の前記光源の調整量を求めて前記発光量調整手段により前記光源の発光量を調整することを特徴とするプロジェクター。
【請求項５】
請求項３または４に記載のプロジェクターであって、
前記光学系は光学部品を移動させる機構を備え、
前記光学系調整手段は前記機構により前記光学部品の位置を変更させるものであり、
前記調整値取得手段は、前記光学系の光学部品の位置が特定の位置となった場合において複数の前記光源が発する光を合成した合成光のホワイトバランスを整える調整値を取得することを特徴とするプロジェクター。
【請求項６】
請求項３から５のいずれかに記載のプロジェクターであって、さらに、
前記変調光のホワイトバランスを検出する検出手段と、
前記光学系が特定の状態となった場合の前記変調光のホワイトバランスを前記検出手段により検出し、その検出値を保持する検出値保持手段と、を備え、
前記調整値取得手段は、前記検出値保持手段により保持された検出値から前記調整値を取得することを特徴とするプロジェクター。
【請求項７】
請求項６記載のプロジェクターであって、
前記調整値取得手段は、前記変調光を前記プロジェクターの外部で測定した測定値と、前記検出手段により検出された検出値とに基づいて、前記調整値を取得することを特徴とするプロジェクター。
【請求項８】
複数の光源と、
前記複数の光源が発する光を変調して投射する投射部と、
前記投射部から投射される変調光の投射状態を光学的に変化させる光学系と、
前記光学系の状態を変化させる光学系調整手段と、
前記光学系の状態と、前記変調光のホワイトバランスを整えるための各々の前記光源の発光量の調整値とを関連付けて記憶する記憶手段と、を備えたプロジェクターにおける発光制御方法であって、
前記光学系の状態に対応した前記調整値に基づいて各々の前記光源の発光量を調整する
ことを特徴とするプロジェクターにおける発光制御方法。
【発明の詳細な説明】
【技術分野】
【０００１】
本発明は、複数の光源を用いて投射面に画像を投射するプロジェクター、及び、プロジェクターにおける発光制御方法に関する。
【背景技術】
【０００２】
従来、光源からの光を入力画像に基づいて変調し、投射レンズを介してスクリーンに投射するプロジェクターが知られている。また、プロジェクターにおいては、光源を交換した場合に光源の特性が変化することでホワイトバランスが変化したり、光源の経時的な特性（照度）変化によってホワイトバランスが変化したりすることが知られている。そのため、実際にスクリーンに投射される画像のホワイトバランスを適切な状態に調整する機能を備えたプロジェクターが提案された（例えば、特許文献１参照）。
また、従来、ＬＥＤやレーザー等、ＰＷＭ（パルス幅変調）制御により輝度を調整することができる光源を用いたプロジェクターが知られている（例えば、特許文献２参照）。
【先行技術文献】
【特許文献】
【０００３】
【特許文献１】特開２００６−１４０８３９号公報
【特許文献２】特開２０１０−０５１０６８号公報
【発明の概要】
【発明が解決しようとする課題】
【０００４】
ところで、複数の光源を用いるプロジェクターにおいては、各光源の光出力が均一とは限らず、また、各光源の経時変化の進み方も一様とは限らない。また、光学系の状態が変化した場合に、各光源からレンズの焦点までの光路長等が異なること等に起因して、ホワイトバランスが変化してしまうことがある。このように、複数の光源を用いるプロジェクターにおいては、ホワイトバランスが複雑に変化してしまうという問題があった。また、ホワイトバランスが変化する毎に、スクリーンに投射された画像のホワイトバランスを実際に測定して調整を行うと、ホワイトバランスを頻回に調整することになり、時間がかかるという問題があった。
本発明は、上述した従来の技術が有する課題を解消し、プロジェクターが投射する光のホワイトバランスを適切に保つことが可能なプロジェクター、及び、プロジェクターにおける発光制御方法を提供することを目的とする。
【課題を解決するための手段】
【０００５】
上記目的を達成するために、本発明は、複数の光源と、前記複数の光源が発する光を変調する変調手段と、を備え、前記変調手段で変調された変調光を投射する投射部と、前記投射部から投射される変調光の投射状態を光学的に変化させる光学系と、前記光学系の状態を変化させる光学系調整手段と、前記光学系の状態と、前記変調光のホワイトバランスを整えるための各々の前記光源の発光量の調整値とを関連付けて記憶する記憶手段と、前記光学系の状態に対応した前記調整値に基づいて各々の前記光源の発光量を調整する発光量調整手段とを備えることを特徴とする。
本発明によれば、光学系の状態変化によりホワイトバランスが変化しても、記憶している調整値に基づいて光源の発光量を調整することにより、変調光のホワイトバランスを適切に、かつ速やかに調整することができる。
【０００６】
また、本発明は、上記のプロジェクターであって、前記記憶手段は、前記光学系の特定の状態と、前記調整値とを関連付けて記憶し、前記光学系調整手段により前記光学系が前記特定の状態とされた場合に、前記記憶手段に記憶された前記調整値に基づいて前記発光量調整手段により前記光源の発光量を調整し、前記光学系調整手段により前記光学系が前記特定の状態以外の状態とされた場合には、前記記憶手段に記憶された調整値から算出される推定値に基づいて前記発光量調整手段により前記光源の発光量を調整する制御手段をさらに備えることを特徴とする。
本発明によれば、光学系の状態変化に伴ってホワイトバランスが変化しても速やかに調整することができる。また、ホワイトバランスの調整値が少なくても様々な状態で調整を行うことができ、多数の調整値を必要としないので調整値の取得に要する時間を短縮できる。
【０００７】
また、本発明は、上記のプロジェクターであって、前記光学系が特定の状態となった場合において前記変調光のホワイトバランスを整える調整値を取得し、前記光学系の状態と前記調整値とを関連付けて前記記憶手段に記憶する調整値取得手段をさらに備えることを特徴とする。
本発明によれば、光学系の状態と、その状態でのホワイトバランスの調整値とを関連づけて記憶させておくことにより、実際に調整値を検出する回数を抑えることができる。
【０００８】
また、本発明は、上記のプロジェクターであって、いずれかの前記光源の光から色変換及び／又は分光により複数の色光を生成する色光変換手段と、前記色光変換手段により生成された複数の色光を変調する変調手段と、をさらに備え、前記制御手段は、前記光学系の状態に基づいて、前記記憶手段に記憶された前記調整値または前記記憶手段に記憶された前記調整値から算出される推定値から、各々の前記色光の光量の調整量を求め、さらに各々の前記光源の調整量を求めて前記発光量調整手段により前記光源の発光量を調整することを特徴とする。
本発明によれば、色変換及び／又は分光により１つの光源から複数の色光を生成する構成において、光学系の状態の変化に伴ってホワイトバランスが変化しても、ホワイトバランスを適切に、かつ速やかに調整できる。
【０００９】
また、本発明は、上記のプロジェクターであって、前記光学系は光学部品を移動させる機構を備え、前記光学系調整手段は前記機構により前記光学部品の位置を変更させるものであり、前記調整値取得手段は、前記光学系の光学部品の位置が特定の位置となった場合において前記合成光のホワイトバランスを整える調整値を取得することを特徴とする。
本発明によれば、光学部品の位置が変更することにより、例えば各光源からの光路長の差に起因してホワイトバランスが変化しても、ホワイトバランスを適切に、かつ速やかに調整できる。
【００１０】
また、本発明は、上記のプロジェクターであって、前記変調光のホワイトバランスを検出する検出手段と、前記光学系が特定の状態となった場合の前記変調光のホワイトバランスを前記検出手段により検出し、その検出値を保持する検出値保持手段と、を備え、前記調整値取得手段は、前記検出値保持手段により保持された検出値から前記調整値を取得することを特徴とする。
本発明によれば、実際の検出値に基づいてホワイトバランスを適切に調整することができ、かつ、代表的な検出値から得られる調整値を演算して、別の調整値を取得できるので、実際に検出する回数を抑えることができる。
【００１１】
また、本発明は、上記のプロジェクターであって、前記調整値取得手段は、前記変調光を前記プロジェクターの外部で測定した測定値と、前記検出手段により検出された検出値とに基づいて、前記調整値を取得することを特徴とする。
本発明によれば、プロジェクターの外部で測定した測定値を用いることにより、より正確にホワイトバランスを調整できる。また、光学系の状態変化に対応して多数回の検出を行うことなく、ホワイトバランスを調整できるので、調整に要する手間と時間の増加を避けることができる。
【００１２】
また、上記目的を達成するために、本発明は、複数の光源と、前記複数の光源が発する光を変調して投射する投射部と、前記投射部から投射される変調光の投射状態を光学的に変化させる光学系と、前記光学系の状態を変化させる光学系調整手段と、前記光学系の状態と、前記変調光のホワイトバランスを整えるための各々の前記光源の発光量の調整値とを関連付けて記憶する記憶手段と、を備えたプロジェクターにおける発光制御方法であって、前記光学系の状態に対応した前記調整値に基づいて各々の前記光源の発光量を調整することを特徴とする。
本発明によれば、光学系の状態変化によりホワイトバランスが変化しても、記憶している調整値に基づいて光源の発光量を調整することにより、変調光のホワイトバランスを適切に、かつ速やかに調整することができる。
【発明の効果】
【００１３】
本発明によれば、複数の光源を備えるプロジェクターにおいて、光学系の状態変化によりホワイトバランスが変化しても、ホワイトバランスを適切に、かつ速やかに調整できる。
【図面の簡単な説明】
【００１４】
【図１】プロジェクターの機能ブロック図である。
【図２】投射レンズの位置とホワイトバランスの調整値とを記憶部に記憶させる手順を示すフローチャートである。
【図３】投射レンズのズームの状態とホワイトバランスの調整値とを記憶部に記憶させる手順を示すフローチャートである。
【図４】投射レンズのレンズ絞りの状態とホワイトバランスの調整値とを記憶部に記憶させる手順を示すフローチャートである。
【図５】ホワイトバランスの調整値を行う際の制御部の動作を示すフローチャートである。
【図６】記憶部に記憶されている投射レンズの特定の状態を例示する図であり、（Ａ）は投射レンズの複数の位置に対応付けて調整値を記憶した構成を示す図であり、（Ｂ）は投射レンズの特定の位置の調整値と、調整値からの変化量とを記憶した構成を示す図である。
【図７】記憶部に記憶されている投射レンズの特定の状態を例示する図であり、（Ａ）は投射レンズの複数のズームの状態に対応付けて調整値を記憶した構成を示す図であり、（Ｂ）は特定のズームの状態での調整値と、調整値からの変化量とを記憶した構成を示す図である。
【図８】記憶部に記憶されている投射レンズの特定の状態を例示する図であり、（Ａ）は投射レンズの複数のレンズ絞りの状態に対応付けて調整値を記憶した構成を示す図であり、（Ｂ）は特定のレンズ絞りの状態での調整値と、調整値からの変化量とを記憶した構成を示す図である。
【発明を実施するための形態】
【００１５】
以下、図面を参照して本発明を適用した実施形態について説明する。
図１は、実施形態に係るプロジェクター１の機能的構成を示すブロック図である。スクリーンＳＣ（投射面）に画像を投射する表示装置としてのプロジェクター１は、ＰＣ等のコンピューターや各種画像プレーヤー等の外部の画像供給装置（図示略）に、Ｉ／Ｆ（インターフェイス）１１を介して接続され、インターフェイス１１に入力されるデジタル画像データに基づく画像をスクリーンＳＣに投射する。
【００１６】
プロジェクター１は、光学的な画像の形成を行う投射部２０と、この投射部２０に入力される画像信号を電気的に処理する画像処理系とを備え、これらの各部は制御部１０の制御に従って動作する。
投射部２０は、光源部２１、光変調装置（変調手段）２２、及び投射光学系（投射手段）２３を備えている。光源部２１は、ＬＥＤやレーザー光源等のパルス信号により輝度をＰＷＭ制御可能な光源を備えている。本実施形態では、青色レーザー光を発する２つの青色半導体レーザー素子を用いたレーザー光源４２、４３を備えた構成を例示する。なお、レーザー光源４２、４３は複数の半導体素子を備え、複数のレーザー光を発するものであってもよい。
光変調装置２２は、後述する画像処理系からの信号を受けて、光源部２１が発した光を変調する。光変調装置２２により変調された変調光（画像光）２３ａ，２３ｂ，２３ｃは、投射光学系２３に導かれる。光変調装置２２の具体的な構成としては、例えば、ＲＧＢの各色に対応した３枚の透過型または反射型の液晶ライトバルブを用いた方式が挙げられる。本実施形態では、ＲＧＢの３色の色光に対応した３枚の透過型の液晶パネル、すなわち青色光（Ｂ）を変調する液晶パネル２２ａ、赤色光（Ｒ）を変調する液晶パネル２２ｂ、及び、緑色光（Ｇ）を変調する液晶パネル２２ｃを備えた構成とする。光変調装置２２が備える液晶パネル２２ａ、２２ｂ、２２ｃは、後述する液晶パネルドライバー３３によって駆動され、各液晶パネルにマトリクス状に配置された各画素における光の透過率を変化させることにより、画像を形成する。
光変調装置２２により変調されたＲＧＢの各色光は不図示のクロスダイクロイックプリズムにより合成されて、投射光学系２３に導かれる。
投射光学系２３は、光変調装置２２で変調された変調光２３ａ，２３ｂ，２３ｃをスクリーンＳＣ上に投射して結像させるためのレンズ群である投射レンズ２４を備えて構成される。また、投射光学系２３には、絞りを調整する絞り機構２５、レンズシフトを調整するレンズシフト機構２６、ズームを調整するズーム機構２７が設けられている。絞り機構２５、レンズシフト機構２６、及び、ズーム機構２７には、制御部１０の制御に従って各機構２５，２６，２７を駆動する投射光学系駆動部（光学系調整手段）３４が接続されている。
【００１７】
光源部２１には、レーザー光源４２、４３の発光を制御するパルス信号Ｓ２，Ｓ３を出力するＰＷＭ信号生成部（発光量調整手段）５０が接続されている。光源部２１は、ＰＷＭ信号生成部５０から入力されるパルス信号Ｓ２に従ってレーザー光源４２を駆動し、点灯と消灯とを切り換えるレーザー光源ドライバー４０と、パルス信号Ｓ３に従ってレーザー光源４３を駆動し、点灯と消灯とを切り換えるレーザー光源ドライバー４１とを備えている。
レーザー光源４２は、レーザー光源ドライバー４０によって駆動されて青色レーザー光４２ａを発し、この青色レーザー光４２ａは拡散板４４を経て拡散される。拡散されたレーザー光は青色光２０ａとして光変調装置２２の液晶パネル２２ａに入射し、液晶パネル２２ａによって変調される。一方、レーザー光源４３はレーザー光源ドライバー４１によって駆動され、レーザー光源４２と同様に青色レーザー光を発する。レーザー光源４３が発した青色レーザー光は、蛍光体ホイール４５の蛍光体に当たって黄色光４５ａに変換され、分光部４６に入射する。分光部４６は、黄色光４５ａを波長成分により分離し、分離された赤色光２０ｂ及び緑色光２０ｃは、それぞれ液晶パネル２２ｂ及び液晶パネル２２ｃに入射する。つまり、蛍光体ホイール４５及び分光部４６は、光源部２１において、レーザー光源４３が発する光から複数の色光を生成する色光変調手段としての機能を備える。
【００１８】
ＰＷＭ信号生成部（発光量調整手段）５０は、制御部１０から入力される制御信号Ｓ１に従って、レーザー光源４２、４３をＰＷＭ制御することにより、レーザー光源４２、４３を点灯させ、かつ、レーザー光源４２、４３の輝度を所望の輝度に調整する機能を有する。ＰＷＭ信号生成部５０は、制御部１０から入力される制御信号Ｓ１に従って、パルス周波数と、パルス幅（オン期間）とを指定する信号を生成し、リミッターを介して光源部２１に出力する。
レーザー光源ドライバー４０、４１は、パルス信号Ｓ２、Ｓ３のパルスがオンに立ち上がるとレーザー光源４２、４３を点灯させ、パルスがオフに下がるとレーザー光源４２、４３を消灯させる。
【００１９】
また、プロジェクター１は、インターフェイス１１を有する映像入力部１２と、映像入力部１２に入力された画像データのスケーリング処理を実行する変換処理部１３が接続されている。変換処理部１３は、画像データの解像度の変換処理等を実行し、処理後の画像データを制御部１０に出力する。なお、プロジェクター１に入力される画像データは、動画像（映像）データが考えられるが、静止画像データであってもよい。
ここで、インターフェイス１１は、例えば、デジタル映像信号が入力されるＤＶＩ（Ｄｉｇｉｔａｌ  Ｖｉｓｕａｌ  Ｉｎｔｅｒｆａｃｅ）インターフェイス、ＵＳＢインターフェイス及びＬＡＮインターフェイスや、ＮＴＳＣ、ＰＡＬ及びＳＥＣＡＭ等のコンポジット映像信号が入力されるＳ映像端子、コンポジット映像信号が入力されるＲＣＡ端子、コンポーネント映像信号が入力されるＤ端子、ＨＤＭＩ（登録商標）規格に準拠したＨＤＭＩコネクター等、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）が策定したＤｉｓｐｌａｙＰｏｒｔ（商標）規格に準拠したコネクター等を有する。また、映像入力部１２は、インターフェイス１１にアナログ映像信号が入力された場合に、このアナログ映像信号をデジタル画像データに変換するＡ／Ｄ変換回路を有する構成としてもよい。なお、インターフェイス１１に、無線通信インターフェイスを設けても良い。
【００２０】
プロジェクター１の画像処理系は、プロジェクター１全体を統合的に制御する制御部１０を中心に構成される。また、プロジェクター１は、記憶部１５、入力処理部１６、画像処理部３１、及び、液晶パネルドライバー３３を備えている。記憶部１５は、制御部１０が処理するデータや制御部１０が実行する制御プログラムを記憶している。入力処理部１６は、不図示のリモコンや操作パネルによるユーザー操作を検出する。画像処理部３１は、画像データを処理し画像信号をフレームメモリー３２に展開する。液晶パネルドライバー３３は、画像処理部３１から出力される画像信号に基づいて光変調装置２２の液晶パネル２２ａ、２２ｂ、２２ｃを駆動して描画を行う。
制御部１０は、記憶部１５に記憶された制御プログラムを読み出して実行することにより、プロジェクター１の各部を制御する。制御部１０は、入力処理部１６から入力される操作情報に基づいて、ユーザーが行った操作の内容を検出し、この操作に応じて画像処理部３１、液晶パネルドライバー３３、投射光学系駆動部３４及びＰＷＭ信号生成部５０を制御して、スクリーンＳＣに画像を投射させる。
【００２１】
入力処理部１６は、プロジェクター１を操作するリモコン（図示略）が送信する無線信号を受信してデコードし、リモコンにおける操作を検出する機能、及び、プロジェクター１の操作パネル（図示略）におけるボタン操作を検出する機能を有する。入力処理部１６は、リモコンや操作パネルにおける操作を示す操作信号を生成して、制御部１０に出力する。また、入力処理部１６は、制御部１０の制御に従い、プロジェクター１の動作状態や設定状態に応じて操作パネル（図示略）のインジケーターランプの点灯状態を制御する。
【００２２】
画像処理部３１は、制御部１０の制御に従って、変換処理部１３が出力した画像データを取得して、画像サイズ或いは解像度、静止画像か動画像であるかの別、動画像の場合はフレームレート等の画像データの属性を判定する。そして、画像処理部３１は、フレーム毎にフレームメモリー３２に画像を展開する。また、画像処理部３１は、取得した画像データの解像度が光変調装置２２の液晶パネルの表示解像度と異なる場合には解像度変換処理を行い、リモコンや操作パネルの操作によりズームが指示された場合には拡大／縮小処理を行って、これらの処理後の画像をフレームメモリー３２に展開する。その後、画像処理部３１は、フレームメモリー３２に展開したフレーム毎の画像を表示信号として液晶パネルドライバー３３に出力する。
【００２３】
制御部１０は、記憶部１５に記憶された制御プログラムを実行することにより、投射制御部１７、発光制御部（制御手段）１８、補正制御部１９、及び、調整値取得部３８の機能を実現する。
投射制御部１７は、入力処理部１６が検出した操作に従って、プロジェクター１の各部を初期化するとともに、ＰＷＭ信号生成部５０を制御してレーザー光源４２、４３を点灯させ、画像処理部３１及び液晶パネルドライバー３３を制御して、液晶パネル２２ａ、２２ｂ、２２ｃに画像を描画させて、画像を投射させる。また、投射制御部１７は、投射光学系駆動部３４を制御して、絞り機構２５、レンズシフト機構２６、及び、ズーム機構２７を駆動する。
発光制御部（制御手段）１８は、投射を開始する際及び投射中に、制御信号Ｓ１を生成して、ＰＷＭ信号生成部５０に出力する。この制御信号Ｓ１は、レーザー光源ドライバー４０、４１に入力されるパルス信号Ｓ２、Ｓ３のパルス幅と、パルス周期またはパルスがオフになる期間とを指定する。発光制御部１８は、パルス幅、及び、パルス周期またはパルスがオフになる期間を変更することにより、レーザー光源４２、４３の発光量を調整する。
【００２４】
補正制御部１９は、プロジェクター１に対するスクリーンＳＣの傾き（投射角）及びスクリーンＳＣまでの投射距離を算出し、台形歪み補正等の補正処理を実行する。補正制御部１９は、算出した投射角及び投射距離に基づいて、画像処理部３１を制御し、フレームメモリー３２に展開する画像を変形させることによって、スクリーンＳＣ上の投射画像の歪みを補正して、矩形の良好な画像を表示する。補正制御部１９は、スクリーンＳＣ上の投射画像の乱れを検出した場合、操作パネル（図示略）の操作により補正実行が指示された場合等に、投射角と投射距離を算出して、補正用のパラメーターを新たに算出し、算出したパラメーターに従って投射画像を補正する処理を実行する。
【００２５】
調整値取得部（調整値取得手段）３８は、投射光学系２３からスクリーンＳＣに投射される変調光（投射光）２８の色温度を検出するカラーセンサー（検出手段）１４の検出値に基づいて、変調光２８のホワイトバランスを適正値に調整するための調整値を取得する。なお、変調光２８は、投射光学系２３により、レーザー光源４２，４３が発した青色光２０ａ、赤色光２０ｂ及び緑色光２０ｃを合成した合成光である。
プロジェクター１は、２つのレーザー光源４２，４３によって、赤（Ｒ）、緑（Ｇ）、青（Ｂ）の３色の色光を発する構成となっている。このため、レーザー光源４２が発する青色レーザー光４２ａは、青色光２０ａとなるが、レーザー光源４３が発する青色レーザー光４３ａは、黄色光４５ａに変換された後、赤色光２０ｂと緑色光２０ｃに分光される。例えば、レーザー光源４２とレーザー光源４３とが同出力であり、かつ、拡散板４４及び蛍光体ホイール４５が全反射（反射率１００％）であり、さらに、分光部４６が光量を１／２にするものである場合に、赤色光２０ｂと緑色光２０ｃが同じ光量であるとすれば、レーザー光源４２、４３を同じ輝度で発光させた場合に、赤色光２０ｂと緑色光２０ｃの光量は、いずれも青色光２０ａの光量の半分である。言い換えれば、青色光２０ａ、赤色光２０ｂ、緑色光２０ｃの各色光の光量を同一にするならば、レーザー光源４２の輝度を、レーザー光源４３の輝度の半分にする必要がある。従って、プロジェクター１では、青色光２０ａ、赤色光２０ｂ、及び緑色光２０ｃの各色光の光量を好適なバランスにするために、レーザー光源４２とレーザー光源４３を、異なる輝度で発光させる。本実施形態では、青色光２０ａの光量を赤色光２０ｂ、緑色光２０ｃよりも低光量とするよう、レーザー光源４２の輝度とレーザー光源４３の輝度の比（割合）が設定されている。なお、詳細については後述するが、レーザー光源４２、４３の輝度や各色光の光量に関する設定値は、記憶部１５に記憶されている。
また、青色光２０ａ、赤色光２０ｂ及び緑色光２０ｃの光量の比は、レーザー光源４２，４３の出力、蛍光体ホイール４５によって青色レーザー光４３ａを黄色光４５ａに変換する変換効率、拡散板４４における拡散の状態、分光部４６の分光特性、液晶パネル２２ａ，２２ｂ，２２ｃの状態等の各種条件によって影響を受けることがある。
このような影響を踏まえて、プロジェクター１は、正確な白色が再現できるように、ホワイトバランスが調整されている。
【００２６】
しかしながら、２つのレーザー光源４２、４３によって発せられる光を合成して投射するプロジェクター１では、レーザー光源４２、４３の経時変化による光量の変化が個体差によって大きく異なる場合がある。レーザー光源４２、４３の経時変化による光量の変化にずれがある場合、青色光２０ａ、赤色光２０ｂ及び緑色光２０ｃの光量の比が乱れてしまう。また、各レーザー光源４２、４３から投射レンズ２４までの光路差の影響により、絞り機構２５、レンズシフト機構２６、または、ズーム機構２７を駆動させて投射光学系２３の状態が変化した際には、変調光２８のＲ：Ｇ：Ｂの光量比が乱れてしまう。
このように、レーザー光源４２、４３の経時変化の影響により、青色光２０ａ、赤色光２０ｂ及び緑色光２０ｃの光量の比が乱れた場合、或いは、投射光学系２３の状態変化の影響により、変調光２８のＲ：Ｇ：Ｂの光量の比が乱れた場合には、スクリーンＳＣに投射される投射画像のホワイトバランスがずれてしまう。２つのレーザー光源４２，４３を備えたプロジェクター１では、上述した様々な要因によりホワイトバランスが複雑に変化する。
【００２７】
このように複雑に変化するホワイトバランスを適正に調整するために、プロジェクター１は、製品の製造時に外部の工程センサー（不図示）を用いてホワイトバランスが適正となるカラーセンサー１４の調整値が予め記憶部１５に記憶される。詳述すると、プロジェクター１からスクリーンＳＣに投射される投射画像のＲ値：Ｇ値：Ｂ値を外部センサーを用いて測定し、外部センサーの測定値が１００：１００：１００となるように、青色光２０ａ、赤色光２０ｂ、緑色光２０ｃの各色光の光量を調整する。外部センサーでは、実際にスクリーンＳＣに投射されている投射画像のＲＧＢ値を測定しているため、外部センサーの測定値が１００：１００：１００となるように、青色光２０ａ、赤色光２０ｂ、緑色光２０ｃの各色光の光量を調整することで、プロジェクター１のホワイトバランスを適切に取ることができる。製品の製造時には、ホワイトバランスが適正となるとき、つまり、外部センサーの測定値が１００：１００：１００となるときの、製品内部のカラーセンサー１４の検出値を投射光学系２３の状態と関連付けて記憶部１５に調整値として記憶する。なお、外部センサー、及び、カラーセンサー１４には、適宜ＮＤフィルターなどで減衰させた光を導入する構成であっても良い。
【００２８】
次に、製品の製造時に、カラーセンサー１４の検出値を投射光学系２３の状態と関連付けてホワイトバランスの調整値として記憶部１５に記憶させる際の手順について、図２、図３、図４のフローチャートを用いて説明する。
図２は、製品の製造時に、レンズシフト機構２６により、投射レンズ２４の位置を変更させた際のホワイトバランスの調整値を記憶部１５に記憶させる手順を示すフローチャートである。この図２を参照して、プロジェクター１の製造工程においてレンズシフトの位置に関連付けてホワイトバランスの調整値を記憶部１５に記憶する手順について説明する。
まず、作業者の操作に基づいて、制御部１０は、投射光学系駆動部３４を制御して、レンズシフト機構２６を駆動させ、レンズシフトを特定の位置、例えば中央、に合わせる（ステップＳ１）。続いて、作業者の操作に基づいて、制御部１０は、発光制御部１８の機能により、青色光２０ａ、赤色光２０ｂ、緑色光２０ｃが各々最大出力値で出力されるようにレーザー光源４２，４３を制御する。これにより、スクリーンＳＣには、ホワイトバランス調整前の白画面が投射される（ステップｓ２）。なお、青色光２０ａ、赤色光２０ｂ、緑色光２０ｃを各々最大値で出力した調整前の白画面では、ホワイトバランスが適正に調整されていないため、正確な白色が再現されていない。
【００２９】
次に、制御部１０は、発光制御部１８の機能により、プロジェクター１の外部に設けられた外部センサーで測定する投射画像のＲＧＢ比が１００：１００：１００となるように、レーザー光源４２，４３の発光量を調整する（ステップＳ３）。外部センサーで測定する投射画像のＲＧＢ比が１００：１００：１００となるときは、プロジェクター１のホワイトバランスが適正に調整され、スクリーンＳＣに正確な白色が再現されているときである。
次に、制御部１０は、調整値取得部３８の機能により、外部センサーで測定する投射画像のＲＧＢ比が１００：１００：１００となったときの、プロジェクター１内部のカラーセンサー１４の検出値を取得する（ステップＳ４）。これにより、カラーセンサー１４では、レンズシフトの位置が特定の位置となった場合に、プロジェクター１のホワイトバランスが適正となる変調光２８のＲ：Ｇ：Ｂの光量比が検出される。
続いて、調整値取得部３８は、レンズシフトの位置と、カラーセンサー１４の検出値とを関連付けて、ホワイトバランスの調整値として記憶部１５に記憶する（ステップＳ５）。
【００３０】
ホワイトバランスの調整値と関連付けて記憶部１５に記憶するレンズシフトの位置は、任意に設定可能である。例えばレンズシフトの中央と上下左右の最大位置との５つのポイントについて、レンズシフトの位置と、ホワイトバランスが適正となるカラーセンサー１４の検出値と、を関連付けてホワイトバランスの調整値として記憶しておく構成としても良い。
作業者は、予め設定した全てのポイントについて、ホワイトバランスの調整値が記憶部１５に記憶されたかを判断し（ステップＳ６）、他に調整値が記録されるべきレンズシフトの位置が残っている場合には（ステップＳ６：Ｎｏ）、当該位置についてステップＳ１〜Ｓ５を繰り返す。予め設定した全てのポイントについてホワイトバランスの調整値が記録されたと判断した場合には（ステップＳ６：Ｙｅｓ）、作業者は、レンズシフトに関するホワイトバランスの調整値を記憶部１５に記憶させる作業を終了する。
【００３１】
図３は、製品の製造時に、ズーム機構２７により、投射レンズ２４のズームの状態を変更させた際のホワイトバランスの調整値を記憶部１５に記憶させる手順を示すフローチャートである。この図３を参照して、プロジェクター１の製造工程において、投射レンズ２４のズームの状態に関連付けてホワイトバランスの調整値を記憶部１５に記憶する手順について説明する。
まず、作業者の操作に基づいて、制御部１０は、投射光学系駆動部３４を制御して、ズーム機構２７を駆動させ、投射レンズ２４のズームの状態を特定の状態、例えば中央、に合わせる（ステップＳ１１）。続いて、作業者の操作に基づいて、制御部１０は、発光制御部１８の機能により、青色光２０ａ、赤色光２０ｂ、緑色光２０ｃが各々最大出力値で出力されるようにレーザー光源４２，４３を制御する。これにより、スクリーンＳＣには、ホワイトバランス調整前の白画面が投射される（ステップＳ１２）。なお、青色光２０ａ、赤色光２０ｂ、緑色光２０ｃを各々最大出力値で出力した調整前の白画面では、ホワイトバランスが適正に調整されていないため、正確な白色が再現されていない。
【００３２】
次に、制御部１０は、発光制御部１８の機能により、プロジェクター１の外部センサーで測定する投射画像のＲＧＢ比が１００：１００：１００となるように、レーザー光源４２，４３の発光量を調整する（ステップＳ１３）。外部センサーで測定する投射画像のＲＧＢ比が１００：１００：１００となるときは、プロジェクター１のホワイトバランスが適正に調整され、スクリーンＳＣに正確な白色が再現されているときである。
次に、制御部１０は、調整値取得部３８の機能により、外部センサーで測定する投射画像のＲＧＢ比が１００：１００：１００となったときに、プロジェクター１の内部のカラーセンサー１４で検出される検出値を取得する（ステップＳ１４）。これにより、カラーセンサー１４では、投射レンズ２４のズームの状態が特定の状態となった場合に、プロジェクター１のホワイトバランスが適正となる変調光２８のＲ：Ｇ：Ｂの光量比が検出される。
続いて、調整値取得部３８は、ズームの状態と、カラーセンサー１４の検出値とを関連付けて、ホワイトバランスの調整値として記憶部１５に記憶する（ステップＳ１５）。
【００３３】
ホワイトバランスの調整値を記憶部１５に記憶するズームの状態は、任意に設定可能である。例えばズームの中央とテレ、及び、ワイドの最大位置との３つのポイントについて、ズームの状態と、ホワイトバランスが適正となるカラーセンサー１４の検出値と、を関連付けてホワイトバランスの調整値として記憶しておく構成としても良い。
作業者は、予め設定した全てのポイントについて、ホワイトバランスの調整値が記憶部１５に記憶されたかを判断し（ステップＳ１６）、他に調整値が記録されるべきズームの状態が残っている場合には（ステップＳ１６：Ｎｏ）、当該状態についてステップＳ１１〜Ｓ１５を繰り返す。予め設定した全てのポイントについてホワイトバランスの調整値が記録されたと判断した場合には（ステップＳ１６：Ｙｅｓ）、作業者は、ズームの状態に関するホワイトバランスの調整値を記憶部１５に記憶させる作業を終了する。
【００３４】
図４は、製品の製造時に、絞り機構２５により、投射レンズ２４の絞りの状態を変更させた際のホワイトバランスの調整値を記憶部１５に記憶させる手順を示すフローチャートである。この図４を参照して、プロジェクター１の製造工程において、投射レンズ２４の絞りの状態に関連付けてホワイトバランスの調整値を記憶部１５に記憶する手順について説明する。
まず、作業者の操作に基づいて、制御部１０は、投射光学系駆動部３４を制御して、絞り機構２５を駆動させ、投射レンズ２４の絞りの状態を特定の状態、例えば中央、に合わせる（ステップＳ２１）。続いて、作業者の操作に基づいて、制御部１０は、発光制御部１８の機能により、青色光２０ａ、赤色光２０ｂ、緑色光２０ｃが各々最大出力値で出力されるようにレーザー光源４２，４３を制御する。これにより、スクリーンＳＣには、ホワイトバランス調整前の白画面が投射される（ステップＳ２２）。なお、青色光２０ａ、赤色光２０ｂ、緑色光２０ｃを各々最大出力値で出力した調整前の白画面では、ホワイトバランスが適正に調整されていないため、正確な白色が再現されていない。
【００３５】
次に、制御部１０は、発光制御部１８の機能により、プロジェクター１の外部に設けられた外部センサーで測定する投射画像のＲＧＢ比が１００：１００：１００となるように、レーザー光源４２，４３の発光量を調整する（ステップＳ２３）。外部センサーで測定する投射画像のＲＧＢ比が１００：１００：１００となるときは、プロジェクター１のホワイトバランスが適正に調整され、スクリーンＳＣに正確な白色が再現されているときである。
次に、制御部１０は、調整値取得部３８の機能により、外部センサーで測定する投射画像のＲＧＢ比が１００：１００：１００となったときに、プロジェクター１の内部のカラーセンサー１４で検出される検出値を取得する（ステップＳ２４）。これにより、カラーセンサー１４では、投射レンズ２４の絞りの状態が特定の状態となった場合に、プロジェクター１のホワイトバランスが適正となる変調光２８のＲ：Ｇ：Ｂの光量比が検出される。
続いて、調整値取得部３８は、絞りの状態と、カラーセンサー１４の検出値とを関連付けて、ホワイトバランスの調整値として記憶部１５に記憶する（ステップＳ２５）。
【００３６】
ホワイトバランスの調整値を記憶部１５に記憶する絞りの状態は、任意に設定可能である。例えば絞りの中央と全閉、及び、全開の最大位置との３つのポイントについて、絞りの状態と、ホワイトバランスが適正となるカラーセンサー１４の検出値と、を関連付けてホワイトバランスの調整値として記憶しておく構成としても良い。
作業者は、予め設定した全てのポイントについて、ホワイトバランスの調整値が記憶部１５に記憶されたかを判断し（ステップＳ２６）、他に調整値が記録されるべき絞りの状態が残っている場合には（ステップＳ２６：Ｎｏ）、当該状態についてステップＳ２１〜Ｓ２５を繰り返す。予め設定した全てのポイントについてホワイトバランスの調整値が記録されたと判断した場合には（ステップＳ２６：Ｙｅｓ）、作業者は、絞りの状態に関するホワイトバランスの調整値を記憶部１５に記憶させる作業を終了する。
【００３７】
上述したように、プロジェクター１の記憶部１５には、投射光学系２３が特定の状態となった場合に、投射画像のホワイトバランスが適正となるカラーセンサー１４で検出される変調光２８のＲ：Ｇ：Ｂの光量比が、複数の投射光学系２３の状態について其々予め記憶されている。プロジェクター１は、起動時に、レンズシフトの位置、ズームの状態、及び、絞りの状態等の投射光学系２３の状態を判断し、投射光学系２３の状態と、記憶部１５に記憶されている投射光学系２３の特定の状態でのホワイトバランスの調整値と、に基づいて、ホワイトバランスを調整することができる。
次に、投射光学系２３の特定の状態に基づいてホワイトバランスを調整する際のプロジェクター１の動作について図５のフローチャートを用いて説明する。
【００３８】
まず、プロジェクター１の起動時、または、ユーザー操作により投射光学系２３の状態が変更されたことを検出した際には、制御部１０は、投射光学系駆動部３４から投射光学系２３の状態を検出する（ステップＳ３１）。次に、制御部１０は、ステップＳ３１で検出された状態が記憶部１５にホワイトバランスの調整値が予め記憶されている特定の状態か否かを判定する（ステップＳ３２）。投射光学系２３の状態が、記憶部１５にホワイトバランスの調整値が予め記憶されている特定の状態であると判定した場合（ステップＳ３２：Ｙｅｓ）、制御部１０は、調整値取得部３８の機能により、記憶部１５〜Ｓ３１で検出された特定の状態に関連付けられて記憶されている調整値を取得する（ステップＳ３３）。
投射光学系２３の状態が、記憶部１５にホワイトバランスの調整値が予め記憶されている特定の状態ではないと判定した場合（ステップＳ３２：Ｎｏ）、制御部１０は、調整値取得部３８の機能により、記憶部１５に記憶されている特定の状態と、特定の状態に関連付けられて記憶されている調整値と、からホワイトバランスを検出された状態に対して適切に調整するための推定値を算出する（ステップＳ３４）。
【００３９】
ここで、記憶部１５に記憶されている特定の状態と、特定の状態に関連付けられて記憶されている調整値と、からホワイトバランスを検出された状態に対して適切に調整するための推定値を算出する方法の一例を説明する。
図６〜図８は、制御部１０が検出する投射光学系２３の状態を模式的に示す図であり、図６はレンズシフトの状態、図７はズームの状態、図８は絞りの状態を示す図である。
図６（Ａ）に例示したように、レンズシフトの位置は、ＸＹ直交座表系で示される。図６（Ａ）に示す図表のＸ軸は水平方向すなわちプロジェクター１の接地面に水平な方向におけるレンズシフト位置を示し、Ｙ軸は垂直方向におけるレンズシフト位置を示す。また、原点（０，０）はレンズシフトの調整範囲の下限を示し左上に相当する位置に設定され、Ｘ軸方向における調整範囲の最大値を１００、Ｙ軸方向における調整範囲の最大値を１００として表す。
本実施形態では、図６（Ａ）の例で中央に相当する位置Ａ（５０，５０）、真中上に相当する位置Ｂ（５０，０）、真中下に相当する位置Ｃ（５０，１００）、真中左に相当する位置Ｄ（０，５０）、および、真中右に相当する位置Ｅ（１００，５０）の各位置を、特定のレンズシフト位置とする。記憶部１４には、これら位置Ａ〜Ｅの各々の位置に対応づけて、ホワイトバランスの調整値が記憶されている。調整値取得部３８は、制御部１０により検出されたレンズシフトの位置が、これらの特定の位置Ａ〜Ｅのいずれにも該当しないと判定された場合には、検出されたレンズシフトの位置に対応するホワイトバランスを調整するための推定値を、記憶部１５に記憶された特定の位置Ａ〜Ｅと、これらの特定の位置に対応する調整値とに基づいて直線補完、２次関数補完、またはスプライン補完等の補完方法を用いて算出する。
例えば、制御部１０により検出されたレンズシフトの位置が図６（Ａ）の位置Ｆ（７５，５０）のとき、調整値取得部３８は、中央Ａ（５０，５０）及び真中右Ｅ（１００，５０）の各位置の調整値に基づいて位置Ｆに対してホワイトバランスを調整するための推定値を算出する。中央Ａ（５０，５０）に関連付けて記憶部１５に記憶された調整値（Ｒ：Ｇ：Ｂ）が（９８：９７：１００）であり、真中右Ｅ（１００，５０）に関連付けて記憶部１５に記憶された調整値（Ｒ：Ｇ：Ｂ）が（８５：９２：９０）である場合、位置Ｆ（７５，５０）に対してホワイトバランスを調整するための推定値（Ｒ：Ｇ：Ｂ）は、直線補完により以下のように算出される。
Ｒ＝（９８＋８５）÷２＝９１．５
Ｇ＝（９７＋９２）÷２＝９４．５
Ｂ＝（１００＋９０）÷２＝９５
【００４０】
また、レンズシフトの位置は、図６（Ｂ）に例示したように、中央に相当する位置（５０，５０）を特定のレンズシフト位置として、この特定の位置に対応づけて、ホワイトバランスの調整値が記憶されている構成であっても良い。そして、真中上に相当する位置（５０，０）、真中下に相当する位置（５０，１００）、真中左に相当する位置（０，５０）、および、真中右に相当する位置（１００，５０）の各位置について、中央に相当する位置からの調整値の変化量が、各位置に対応付けて記憶部１５に記憶される。各レンズシフト位置での変化量は、例えば、中央に相当する位置での変化量を１００％とした場合に、真中上に相当する位置での変化量が９５％、真中下に相当する位置での変化量が１００％、真中左に相当する位置での変化量が１２０％、および、真中右に相当する位置での変化量が１１０％と記憶される。調整値取得部３８は、制御部１０により検出されたレンズシフトの位置が、中央に相当する位置に該当しないと判定された場合には、検出されたレンズシフトの位置に対応するホワイトバランスを調整するための推定値を、記憶部１５に記憶された中央に相当する位置に対応する調整値と、中央に相当する位置からの調整量の変化量とに基づいて直線補完、２次関数補完、またはスプライン補完等の補完方法を用いて算出する。
例えば、制御部１０により検出されたレンズシフトの位置が、図６（Ｂ）に示したＸＹ座標系の（７５，２５）のとき、調整値取得部３８は、中央に相当する位置（５０，５０）の調整値と、中央と真中上との中間に相当する位置（５０，２５）での変化量と、中央と真中右との中間に相当する位置（７５，５０）での変化量と、に基づいてホワイトバランスを調整するための推定値を算出する。中央Ａ（５０，５０）に関連付けて記憶部１５に記憶された調整値（Ｒ：Ｇ：Ｂ）が（９８：９７：１００）であり、真中上に関連付けて記憶部１５に記憶された変化量が９５％であり、真中右に関連付けて記憶部１５に記憶された変化量が１１０％である場合、レンズシフト位置（７５，２５）に対してホワイトバランスを調整するための推定値（Ｒ：Ｇ：Ｂ）は、直線補完により以下のように算出される。
Ｒ＝（（１００％＋９５％）÷２）×（（１００％＋１１０％）÷２）×９８＝１００．３２７５
Ｇ＝（（１００％＋９５％）÷２）×（（１００％＋１１０％）÷２）×９７＝９９．３０３７５
Ｂ＝（（１００％＋９５％）÷２）×（（１００％＋１１０％）÷２）×１００＝１０２．３７５
なお、本実施形態では、各色光の変化量を同じ変化量としたが、これに限らず、赤色光Ｒ、緑色光Ｇ、青色光Ｂ毎に異なる変化量を特定のレンズシフト位置に対応付けて記憶部１５に記憶しておく構成であっても良い。この構成によれば、より適切にホワイトバランスを調整するための推定値を算出することができる。
【００４１】
また、図７（Ａ）の例では、ズームの状態すなわちズーム位置を、ズームの調整範囲のテレ端を０、ワイド端を１００とした場合の相対値として示しており、例えばズームを中央位置に合わせた場合の値は５０となる。なお、図示は省略したが、ズームの状態を座標で示す方法を採用することも可能である。
本実施形態では、例えば、ズーム位置がテレ端（位置０）、中央（位置５０）、及び、ワイド端（位置１００）にある状態を、それぞれ特定の状態とし、これらの特定の状態にホワイトバランスの調整値が関連付けられて、記憶部１５に記憶されている構成とすることができる。そして、調整値取得部３８は、制御部１０により検出されたズームの状態が、これらの特定の状態ではないと判定された場合には、検出されたズームの状態に対応するホワイトバランスを調整するための推定値を、記憶部１５に記憶された特定の状態と、この特定の状態での調整値とに基づいて直線補完、２次関数補完、またはスプライン補完等の補完方法を用いて算出する。例えば、制御部１０により検出されたズームの状態が図７（Ａ）の状態Ｇ（位置２５）のとき、調整値取得部３８は、中央及びテレ端の各状態の調整値に基づいて状態Ｇに対してホワイトバランスを調整するための推定値を算出する。ズーム中央に関連付けて記憶部１５に記憶された調整値（Ｒ：Ｇ：Ｂ）が（９８：９７：１００）であり、ズームテレに関連付けて記憶部１５に記憶された調整値（Ｒ：Ｇ：Ｂ）が（８５：９２：９０）である場合、ズームの状態が状態Ｇ（２５）に対してホワイトバランスを調整するための推定値（Ｒ：Ｇ：Ｂ）は、直線補完により以下のように算出される。
Ｒ＝（９８＋８５）÷２＝９１．５
Ｇ＝（９７＋９２）÷２＝９４．５
Ｂ＝（１００＋９０）÷２＝９５
【００４２】
ズームの状態は、図７（Ｂ）に示したように、ズームを中央に合わせた状態を特定の状態として、この特定の状態に対応づけて、ホワイトバランスの調整値が記憶されている構成であっても良い。そして、テレ端、及び、ワイド端にズームを合わせた状態について、中央からの調整値の変化量が、各ズームの状態に対応付けて記憶部１５に記憶される。各ズームの状態での変化量は、例えば、ズームを中央に合わせた状態での変化量を１００％とした場合に、テレ端での変化量が９０％、ワイド端での変化量が１２０％と記憶される。調整値取得部３８は、制御部１０により検出されたズームの状態が、中央に合わせた状態に相当する状態に該当しないと判定された場合には、検出されたズームの状態に対応するホワイトバランスを調整するための推定値を、記憶部１５に記憶されたズームを中央に合わせた状態に対応する調整値と、中央からの調整量の変化量とに基づいて直線補完、２次関数補完、またはスプライン補完等の補完方法を用いて算出する。
例えば、制御部１０により検出されたズームの状態がテレ端に合わせた状態の時、ホワイトバランスを調整するための推定値は、ズームの状態が中央に合わせた状態での調整値に対して９０％となる。ズームを中央に合わせた状態に関連付けて記憶部１５に記憶された調整値（Ｒ：Ｇ：Ｂ）が（９８：９７：１００）であり、テレ端での中央に対する変化量が９０％である場合、推定値は、以下のように算出される。
Ｒ＝９８×９０％＝８８．２
Ｇ＝９７×９０％＝８７．３
Ｂ＝１００×９０％＝９０
なお、本実施形態では、各色光の変化量を同じ変化量としたが、これに限らず、赤色光Ｒ、緑色光Ｇ、青色光Ｂ毎に異なる変化量を特定のズームの状態に対応付けて記憶部１５に記憶しておく構成であっても良い。この構成によれば、より適切にホワイトバランスを調整するための推定値を算出することができる。
【００４３】
また、図８（Ａ）の例では、レンズ絞りの状態すなわち絞りの調整位置を、全閉位置を０、全開位置を１００とした場合の相対位置として示す。例えば、レンズ絞りを中央にした場合の値は５０である。なお、図示は省略したが、レンズ絞りの状態を、座標で示す方法を採用することも可能である。
本実施形態では、例えば、絞りが全閉（位置０）、中央（位置５０）、及び、全開（位置１００）にある状態を、それぞれ特定の状態とし、これらの特定の状態にホワイトバランスの調整値が関連付けられて、記憶部１５に記憶されている構成とすることができる。そして、調整値取得部３８は、制御部１０により検出されたレンズ絞りの状態が、これらの特定の状態ではないと判定された場合には、検出されたレンズ絞りの状態に対応するホワイトバランスを調整するための推定値を、記憶部１５に記憶された特定の状態と、この特定の状態での調整値とに基づいて直線補完、２次関数補完、またはスプライン補完等の補完方法を用いて算出する。例えば、制御部１０により検出されたレンズ絞りの状態が図７（Ｂ）の状態Ｈ（位置２５）のとき、調整値取得部３８は、レンズ絞り中央及びレンズ絞り全閉の各状態の調整値に基づいて状態Ｈに対してホワイトバランスを調整するための推定値を算出する。中央に関連付けて記憶部１５に記憶された調整値（Ｒ：Ｇ：Ｂ）が（９８：９７：１００）であり、全閉に関連付けて記憶部１５に記憶された調整値（Ｒ：Ｇ：Ｂ）が（８５：９２：９０）である場合、レンズ絞りの状態が状態Ｈ（２５）に対してホワイトバランスを調整するための推定値（Ｒ：Ｇ：Ｂ）は、直線補完により以下のように算出される。
Ｒ＝（９８＋８５）÷２＝９１．５
Ｇ＝（９７＋９２）÷２＝９４．５
Ｂ＝（１００＋９０）÷２＝９５
【００４４】
レンズ絞りの状態は、図８（Ｂ）に示したように、レンズ絞りを中央に合わせた状態を特定の状態として、この特定の状態に対応づけて、ホワイトバランスの調整値が記憶されている構成であっても良い。そして、レンズ絞りの状態が全閉、及び、全開について、中央からの調整値の変化量が、各レンズ絞りの状態に対応付けて記憶部１５に記憶される。各レンズ絞りの状態での変化量は、例えば、レンズ絞りを中央に合わせた状態での変化量を１００％とした場合に、全閉での変化量が１１０％、全開での変化量が１０５％と記憶される。調整値取得部３８は、制御部１０により検出されたレンズ絞りの状態が、中央に合わせた状態に相当する状態に該当しないと判定された場合には、検出されたレンズ絞りの状態に対応するホワイトバランスを調整するための推定値を、記憶部１５に記憶されたレンズ絞りを中央に合わせた状態に対応する調整値と、中央からの調整量の変化量とに基づいて直線補完、２次関数補完、またはスプライン補完等の補完方法を用いて算出する。
例えば、制御部１０により検出されたレンズ絞りの状態が全閉の時、ホワイトバランスを調整するための推定値は、レンズ絞りの状態が中央に合わせた状態での調整値に対して１１０％となる。レンズ絞りを中央に合わせた状態に関連付けて記憶部１５に記憶された調整値（Ｒ：Ｇ：Ｂ）が（９８：９７：１００）であり、全閉での中央に対する変化量が１１０％である場合、推定値は、以下のように算出される。
Ｒ＝９８×１１０％＝１０７．８
Ｇ＝９７×１１０％＝１０６．７
Ｂ＝１００×１１０％＝１１０
なお、本実施形態では、各色光の変化量を同じ変化量としたが、これに限らず、赤色光Ｒ、緑色光Ｇ、青色光Ｂ毎に異なる変化量を特定のレンズ絞りの状態に対応付けて記憶部１５に記憶しておく構成であっても良い。この構成によれば、より適切にホワイトバランスを調整するための推定値を算出することができる。
【００４５】
このように、制御部１０は、調整値取得部３８の機能により投射光学系２３の状態に対応するホワイトバランスの調整値または推定値を取得または算出した後、続いて、発光制御部１８を制御し、カラーセンサー１４の検出値が、調整値取得部３８により取得または算出された調整値または推定値と合うように、レーザー光源４２，４３の発光量を調整する（ステップＳ３５）。つまり、制御部１０は、ＰＷＭ信号生成部５０の機能によりレーザー光源４２，４３の発光量をパルス制御して、青色光２０ａ、赤色光２０ｂ、緑色光２０ｃの出力値を変更し、変調光２８のＲ：Ｇ：Ｂの光量比をプロジェクター１のホワイトバランスが適正となる光量比とする。
【００４６】
この構成によれば、投射光学系２３の状態に応じて、プロジェクター１のホワイトバランスが適正となるように変調光２８のＲ：Ｇ：Ｂの光量比を変更することができる。また、投射光学系２３から投射される変調光２８のＲ：Ｇ：Ｂの光量比を調整してホワイトバランスの適正化を行うため、光学系の状態やレーザー光源の経年変化に伴ってホワイトバランスが複雑に変化する場合であっても、適切な調整を行うことができ、高品位の画像を投射することができる。
【００４７】
以上説明したように、本発明を適用した実施形態に係るプロジェクター１によれば、複数のレーザー光源４２，４３と、複数のレーザー光源４２，４３が発する光を変調する光変調装置２２と、を備え、光変調装置２２で変調された変調光を投射する投射部２０と、投射部２０から投射される変調光２８の投射状態を光学的に変化させる投射光学系２３と、投射光学系２３の状態を変化させる投射光学系駆動部３４と、投射光学系２３の状態と、変調光２８のホワイトバランスを整えるための各々のレーザー光源４２，４３の発光量の調整値と、を関連付けて記憶する記憶部１５と、投射光学系２３の状態に対応した調整値に基づいて各々のレーザー光源４２，４３の発光量を調整するＰＷＭ信号生成部５０と、を備えた。これにより、投射光学系２３の状態変化によりホワイトバランスが変化しても、記憶部１５に予め記憶している調整値に基づいてレーザー光源４２，４３の発光量を調整することにより、変調光２８のホワイトバランスを適切に、かつ速やかに調整することができる。
【００４８】
また、プロジェクター１は、記憶部１５は、投射光学系２３の特定の状態と、調整値とを関連付けて記憶し、投射光学系駆動部３４により投射光学系２３が特定の状態とされた場合に、記憶部１５に記憶された調整値に基づいてＰＷＭ信号生成部５０によりレーザー光源４２，４３の発光量を調整し、投射光学系駆動部３４により投射光学系２３が特定の状態以外の状態とされた場合には、記憶部１５に記憶された調整値から算出される推定値に基づいてＰＷＭ信号生成部５０によりレーザー光源４２，４３の発光量を調整する発光制御部１８をさらに備えた。これにより、投射光学系２３の状態変化に伴ってホワイトバランスが変化しても速やかに調整することができる。また、ホワイトバランスの調整値が少なくても様々な状態で調整を行うことができ、多数の調整値を必要としないので調整値の取得に要する時間を短縮できる。
【００４９】
また、プロジェクター１は、投射光学系２３が特定の状態となった場合において変調光２８のホワイトバランスを整える調整値を取得し、投射光学系２３の状態と調整値とを関連付けて記憶部に記憶する調整値取得部３８をさらに備えた。これにより、投射光学系２３の状態と、その状態でのホワイトバランスの調整値とを関連づけて記憶させておくことができるため、実際に調整値を検出する回数を抑えることができる。
【００５０】
また、プロジェクター１は、いずれかのレーザー光源４２，４３の光から色変換及び／又は分光により複数の色光を生成する蛍光体ホイール４５及び分光部４６と、蛍光体ホイール４５及び分光部４６により生成された複数の色光を変調する光変調装置２２と、をさらに備え、発光制御部１８は、投射光学系２３の状態に基づいて、記憶部１５に記憶された調整値または記憶部１５に記憶された調整値から算出される推定値から、各々の色光の光量の調整量を求め、さらに各々のレーザー光源４２，４３の調整量を求めてＰＷＭ信号生成部５０によりレーザー光源４２，４３の発光量を調整する。これにより、色変換及び／又は分光により１つのレーザー光源４３から複数の色を生成する構成において、投射光学系２３の状態の変化に伴ってホワイトバランスが変化しても、変調光２８のホワイトバランスを適切に、かつ速やかに調整できる。
【００５１】
また、プロジェクター１は、投射光学系２３は、投射レンズ２４を移動させるレンズシフト機構２６を備え、投射光学系駆動部３４はレンズシフト機構２６により投射レンズ２４の位置を変更させるものであり、調整値取得部３８は、投射光学系２３の投射レンズ２４の位置が特定の位置となった場合において複数のレーザー光源４２，４３が発する光を合成した変調光２８のホワイトバランスを整える調整値を取得する。これにより、投射レンズ２４の位置が変更することにより、例えば各レーザー光源４２，４３からの光路長の差に起因してホワイトバランスが変化しても、ホワイトバランスを適切に、かつ速やかに調整できる。
【００５２】
また、プロジェクター１は、変調光２８のホワイトバランスを検出するカラーセンサー１４と、投射光学系２３が特定の状態となった場合の変調光２８のホワイトバランスをカラーセンサー１４により検出し、その検出値を保持する記憶部１５と、を備え、調整値取得部３８は、記憶部１５により保持された検出値から調整値を取得する。これにより、実際の検出値に基づいてホワイトバランスを適切に調整することができ、かつ、代表的な検出値から得られる調整値を演算して、別の調整値を取得できるので、実際に検出する回数を抑えることができる。
【００５３】
また、プロジェクター１は、調整値取得部３８は、変調光２８をプロジェクター１の外部で測定した測定値と、カラーセンサー１４により検出された検出値とに基づいて、調整値を取得する。これにより、プロジェクター１のホワイトバランスを、プロジェクター１の外部で測定した測定値を用いて調整することにより、より正確にホワイトバランスを調整きる。また投射光学系２３の状態変化に対応して多数回の検出を行うことなく、ホワイトバランスを調整できるので、調整に要する手間と時間の増加を避けることができる。
【００５４】
なお、上記各実施形態は本発明を適用した具体的態様の例に過ぎず、本発明を限定するものではなく、上記実施形態とは異なる態様として本発明を適用することも可能である。
図１に示したプロジェクター１の各機能部は、ハードウェアとソフトウェアとの協働により実現される機能的構成を含み、その具体的な実装形態は特に制限されない。その他、プロジェクター１の各部の具体的な細部構成についても、本発明の趣旨を逸脱しない範囲で任意に変更可能である。
また、本実施形態のプロジェクター１は、青色光（Ｂ）を変調する液晶パネル２２ａ、赤色光（Ｒ）を変調する液晶パネル２２ｂ、及び、緑色光（Ｇ）を変調する液晶パネル２２ｃを備えた液晶プロジェクターである構成としたが、これに限らず、デジタルミラーデバイス（ＤＭＤ）を用いたプロジェクターであってもよい。
また、本実施形態では、変調光２８のホワイトバランスを正確な白、つまり、Ｒ：Ｇ：Ｂが１００：１００：１００となるように調整する構成としたが、これに限らず、投射画面を青みがかった画面や赤みがかった画面に設定すべく、変調光の色光のバランスは、任意の色に設定可能である構成としても良い。
また、本実施形態では、投射光学系２３の状態を変更する例として、レンズシフトの位置、ズームの状態、及び、レンズ絞りの状態を変更する場合について説明したが、光路上の光学部品、例えばシネマフィルターやアナモフィックレンズ、の状態を変更する場合や、照明絞りの状態を変更する等、ホワイトバランスに影響を与える設定の変更が行われた際に、ホワイトバランスを適切に調整する構成としても良い。
【００５５】
また、プロジェクター１が備えるカラーモード設定に応じて、バランス調整する色を変えてもよい。例えばカラーモード設定がダイナミックの場合は、本実施形態のように変調光２８が白になるようにバランスを調整し、カラーモード設定がシネマモードの場合は、変調光２８が青みがかった色になるようにバランスを調整してもよい。
また、投射環境に応じて最適な色になるように変調光２８のバランスを調整してもよい。この場合、プロジェクター１は環境光を測定する照度センサーまたはカメラを備え、測定した環境光に応じて適切な色になるように変調光２８のバランスを調整すればよい。
【符号の説明】
【００５６】
１…プロジェクター、１０…制御部、１２…映像入力部、１４…カラーセンサー（検出手段）、１５…記憶部（記憶手段、検出値保持手段）、１７…投射制御部、１８…発光制御部（制御手段）、２０…投射部、２１…光源部、２２…光変調装置（変調手段）、２３…投射光学系（光学系）、２４…投射レンズ（光学部品）、２５…絞り機構、２６…レンズシフト機構、２７…ズーム機構、２８…変調光、３４…投射光学系駆動部（光学系調整手段）、３８…調整値取得部（調整値取得手段）、４２…レーザー光源（光源）、４５…蛍光体ホイール（色光変換手段）、４６…分光部（色光変換手段）、５０…ＰＷＭ信号生成部（発光量調整手段）、ＳＣ…スクリーン。
【図１】
2014021227.tif 000003
【図２】
2014021227.tif 000004
【図３】
2014021227.tif 000005
【図４】
2014021227.tif 000006
【図５】
2014021227.tif 000007
【図６】
2014021227.tif 000008
【図７】
2014021227.tif 000009
【図８】
2014021227.tif 000010